【手続補正書】
【提出日】平成15年10月2日(2003.10.2)
【手続補正１】
【補正対象書類名】明細書
【補正対象項目名】特許請求の範囲
【補正方法】変更
【補正の内容】
【特許請求の範囲】
【請求項１】
（ａ）デシメータを用いて一連のデジタル信号サンプルに処理を施し、一連のデシメーション処理したサンプル時間間隔における各デシメーション処理したサンプル時間間隔毎のデシメーション処理したサンプル値を抽出するステップと、
（ｂ）デジタル・ピーク検出器を用いて前記一連のデジタル信号サンプルに処理を施し、一連のデシメーション処理したサンプル時間間隔における各デシメーション処理したサンプル時間間隔毎の最大サンプル値と最小サンプル値を抽出するステップと、
（ｃ）各デシメーション処理したサンプル時間間隔毎に、グリッチ検出しきい値に応答して、デシメーション処理したサンプル時間間隔から抽出された前記最大及び前記最小サンプル値またはデシメーション処理した前記サンプル値をビデオ・サンプル・メモリに転送するステップとを含むことを特徴とする、波形測定計器のためのサンプリング方法。
【請求項２】
前記グリッチ検出しきい値に応答して、前記サンプル値をビデオ・サンプル・メモリに転送するステップが、
（ａ）各デシメーション処理したサンプル時間間隔毎に、その抽出された前記最大サンプル値と前記最小サンプル値の間の差を計算するステップと、
（ｂ）前記各デシメーション処理したサンプル時間間隔毎に、
（ｂ−１）その抽出された前記最大サンプル値と前記最小サンプル値の間の差が前記グリッチ検出しきい値を超えた場合、その前記最大及び前記最小サンプル値を前記ビデオ・サンプル・メモリに転送するステップと、
（ｂ−２）抽出された前記最大サンプル値と前記最小サンプル値の間の差が前記グリッチ検出しきい値以下の場合、そのデシメーション処理した前記サンプル値を前記ビデオ・サンプル・メモリに転送するステップとを含むことを特徴とする、請求項１に記載のサンプリング方法。
【請求項３】
手動で前記グリッチ検出しきい値を選択するステップをさらに含むことを特徴とする、請求項１または請求項２に記載のサンプリング方法。
【請求項４】
前記一連のデジタル信号サンプルの少なくとも１つの特性をモニタすることによって前記グリッチ検出しきい値を調整するステップをさらに含むことを特徴とする請求項１から請求項３に記載のサンプリング方法。 
【請求項５】
デシメーション処理する前記サンプル時間間隔を選択するステップをさらに含むことを特徴とする、請求項１から請求項４に記載のサンプリング方法。
【請求項６】
（ａ）アナログ入力信号から前記一連のデジタル信号サンプルを生成するステップと、
（ｂ）前記ビデオ・サンプル・メモリの内容が、ディスプレイに表示するステップとを含むことを特徴とする、請求項１から請求項５に記載のサンプリング方法。
【請求項７】
（ａ）請求項２のステップを実施する前に、デシメーション処理した前記サンプル値をデシメーション処理したサンプル値収集メモリに記憶するステップと、
（ｂ）請求項２のステップを実施する前に、前記最大サンプル値及び前記最小サンプル値をピーク検出サンプル値収集メモリに記憶するステップとをさらに含むことを特徴とする、
請求項２に記載のサンプリング方法。 
【請求項８】
前記サンプル値収集メモリと前記ピーク検出サンプル値収集メモリが、単一メモリの分割部分であることを特徴とする請求項７に記載のサンプリング方法。
【請求項９】
前記ビデオ・サンプル・メモリに値を転送する前に、デシメーション処理したサンプル時間間隔から抽出された前記最大サンプル値及び前記最小サンプル値または前記デシメーション処理したサンプル値を収集メモリに記憶するステップをさらに含むことを特徴とする、請求項２から請求項６に記載のサンプリング方法。
【請求項１０】
（ａ）一連のデジタル信号サンプルの各デシメーション処理したサンプル時間間隔毎に、最小／最大サンプル・データを生成するデジタル・ピーク検出器と、
（ｂ）一連のデジタル信号サンプルの各デシメーション処理したサンプル時間間隔毎にデシメーション処理したサンプル・データを生成するデシメータと、
（ｃ）（ｃ−１）前記最小／最大サンプル・データ入力と、（ｃ−２）デシメーション処理した前記サンプル・データ入力と、（ｃ−３）所与のデシメーション処理したサンプル時間間隔の前記最小／最大サンプル・データとデシメーション処理した前記サンプル・データのどちらをビデオ・サンプル・メモリに転送するかを選択するための手段とを含むグリッチ検出しきい値回路とを含むことを特徴とする、波形測定計器におけるサンプリング回路。 
【請求項１１】
前記グリッチ検出しきい値回路が、グリッチ検出しきい値セレクタに応答することを特徴とする、請求項１０に記載のサンプリング回路。 
【請求項１２】
前記グリッチ検出しきい値回路が、
（ａ）前記最小／最大サンプル・データ入力を備え、一連のデジタル信号サンプルの各デシメーション処理したサンプル時間間隔毎に最小／最大差を発生する演算論理回路と、
（ｂ）グリッチ検出しきい値に応答し、最小／最大差入力と、及び前記最小／最大差入力が前記グリッチ検出しきい値を超えるか否かを示す出力とを有する比較器と、
（ｃ）前記最小／最大サンプル・データ入力と、デシメーション処理した前記サンプル・データ入力と、比較器の出力に接続された選択入力と、前記グリッチ検出しきい値に応答して、前記最小／最大サンプル・データまたはデシメーション処理した前記サンプル・データを前記ビデオ・サンプル・メモリに転送する出力ラインとを備えたマルチプレクサとを含むことを特徴とする、請求項１０に記載のサンプリング回路。
【請求項１３】
（ａ）アナログ信号入力及びデジタル信号サンプル出力から成るＡ／Ｄ変換器と、
（ｂ）ビデオ・サンプル・メモリと、
（ｃ）前記Ａ／Ｄ変換器のデジタル信号サンプル出力から導き出される入力と、最大サンプル値出力と、最小サンプル値出力とを有するデジタル・ピーク検出器と、
（ｄ）前記Ａ／Ｄ変換器の前記デジタル信号サンプル出力から導き出される入力と、デシメーション処理した前記サンプル値出力とを有するデシメータと、
（ｅ）グリッチ検出しきい値に応答し、前記デジタル・ピーク検出器の出力かデシメータの出力かのいずれかから導き出されたデータを前記ビデオ・サンプル・メモリに選択的に転送するグリッチ検出しきい値回路と、
（ｆ）前記ビデオ・サンプル・メモリに接続されたビデオ・ディスプレイとを含むことを特徴とする波形測定計器。
【請求項１４】
グリッチ検出しきい値セレクタをさらに含むことを特徴とする請求項１３記載の波形測定計器。
【請求項１５】
前記グリッチ検出しきい値セレクタが適応フィルタを含むことを特徴とする請求項１４記載の波形測定計器。
【請求項１６】
（ａ）前記デジタル・ピーク検出器出力の最大および最小サンプル値出力の入力と、最大サンプル値出力と、最小サンプル出力とを有するピーク検出サンプル値収集メモリと、
（ｂ）前記デシメータからの前記デシメーション処理したサンプル値出力の入力と、デシメーション処理したサンプル値出力を有するデシメーション処理サンプル値収集メモリとを、さらに有することを特徴とする請求項１３から請求項１５記載の波形測定計器。
【請求項１７】
前記グリッチ検出しきい値回路が、
（ａ）前記デジタル・ピーク検出器出力の入力と前記最小／最大差出力を有する演算論理回路と、
（ｂ）前記グリッチ検出しきい値に応答する比較器であって、前記演算論理回路の前記最小／最大差出力を入力し前記最小／最大差が前記グリッチ検出しきい値を超えるか否かを出力する前記比較器と、
（ｃ）（ｃ−１）それぞれ前記デジタル・ピーク検出器と前記デシメータの出力に接続された複数の入力線と、
（ｃ−２）前記比較器の出力に接続された選択入力と、
（ｃ−３）前記選択入力に基づいて、前記最大および最小サンプル値または前記デシメーション処理したサンプル値のいずれかをビデオ・サンプル・メモリに転送する出力線とを含むマルチプレクサと、
を有することを特徴とする請求項１３記載の計器を含むデジタルオシロスコープ